(57)【要約】【課題】複数の指袋を有する靴下において、使用による摩耗穴の発生を遅らせて長く使用できるようにする。【解決手段】5本指袋を有する靴下において、親指袋と小指袋をほぼ同じ大きさに編み上げる。人差し指袋と薬指袋をほぼ同じ大きさに編み上げる。各指袋の先端部の位置は靴下を履く方向の軸に対して対称にほぼ同じ位置に設ける。【選択図】図１
2018162547.tif 000002
【特許請求の範囲】
【請求項１】
複数の指袋を有する靴下において、親指袋と小指袋の大きさをほぼ同じ大きさに編み上げる。以上の如く構成された、複数の指袋を有する靴下。
【請求項２】
5本の指袋を有する靴下において、中指袋を中心に左右対称に親指袋と小指袋また人差し指袋と薬指袋がほぼ同じ大きさに編み上げられた請求項１の複数の指袋を有する靴下。
【請求項３】
3個の指袋を有する靴下において、真ん中の指袋に人差し指、中指、小指の3本指を収納する袋を編み上げ、その左右に親指袋と小指袋をほぼ同じ大きさに編み上げた請求項1の複数の指袋を有する靴下。
【請求項４】
5本の指袋を有する靴下において、親指袋及び小指袋をほぼ同じ大きさに編み上げる。小指袋の位置は親指袋の位置より靴下を履く方向の軸に対して下がって設けた請求項1の複数の指袋を有する靴下。
【発明の詳細な説明】
【技術分野】
【０００１】
この発明は、複数の指袋を有する靴下において指袋と靴内壁面との摩耗位置を変えることができる靴下に関する。
【背景技術】
【０００２】
従来の5本指靴下は各指袋とそこに差し込む足指が親指から小指まで定まるように作られていた。であるから、指袋と靴内壁面との摩耗位置を変えたい場合は、例として、右足を差し込んで使用した靴下の下面を今度は上面に反転して、左足に履くことにより靴内壁面との摩耗位置を上下に変えることができる靴下があった。
【発明の概要】
【発明が解決しようとする課題】
【０００３】
各指袋と靴内壁面との摩耗位置をさらに多様に位置替えができるようにして、摩耗部を均等に分散させ、より長く靴下を使用できるようにする。
【課題を解決するための手段】
【０００４】
摩耗位置をさらに多様に位置替えができるようにするために、いま、その構成を説明すると、5本指袋を有する靴下において、親指袋と小指袋、また、人差し指袋と薬指袋をほぼ同じ大きさに編み上げる。また、各指袋が上面からも、また、反転して下面を上面にしても支障なく履けるように平面状に編み上げる。
【０００５】
また、各指袋の先端部の位置は靴下を履く方向の軸に対して対称にほぼ同じ位置に設ける。また、かかとが当たり出っ張る部位は水平方向の幅を広げることにより余裕を持たせて、編み上げる。
【発明の効果】
【０００６】
一つの靴下を上面の状態で履き、さらに、上下反転して下面を上面にして履くことができる。さらに、反対の足に移動して履き、それをさらに上下反転して履くことができる。これにより、合計４通りの指袋と靴内壁面との摩耗位置の位置替えを得ることができる。これにより、靴下の摩耗面の程度により位置を変えて調節することができ、穴あきを遅らせ、より長く履くことができる。
【図面の簡単な説明】
【０００７】
【図１】実施例1の靴下の平面図である。(履き口部省略)
【図２】実施例2の靴下の平面図である。(履き口部省略)
【図３】実施例３の靴下の平面図である。(履き口部省略)
【図４】従来品の５本指靴下の平面図である。(履き口部省略)
【発明を実施するための形態】
【０００８】
指袋を設けた靴下において、親指袋と小指袋は同じ大きさに、また、人差し指袋と薬指袋は同じ大きさに編み上げる。また、それらの各指袋は中指袋を中心に右左対象に設ける。
【実施例１】
【０００９】
図１は本発明の実施例1の靴下の平面図であって、5本指の指袋を設けた靴下である。真ん中に位置する中指袋3を対称に親指袋1及び小指袋5を同じ大きさに編み上げる。また、人差し指袋2と薬指袋4を同じく中指袋3を対称に同じ大きさに編み上げる。また、各指袋の先端部の位置は靴下を履く方向の軸に対して対称にほぼ同じ位置に設ける。また、かかとが当たり膨れる部位は水平方向の幅を広げて編み上げる。このようにして5本指の指袋を備えた靴下である。
【００１０】
次に、足指を各指袋に指したその履く位置の変化の例を示す。第1状態として、図1の5本指靴下を右足に履いた時には、親指袋1に親指が入り、小指袋5に小指が入る。次に、第2状態として、この靴下を上下反転して下面を上面に同じ右足に履けば、小指袋5に親指が入り、親指袋1に小指が入る。
【００１１】
次に、第3状態として、第1状態の靴下を左足に履けば、小指袋５に左足の親指が入り、親指袋1に小指が入る。次に第４状態として第３状態の靴下を上下反転して下面を上面に履けば、親指袋1に親指が入り小指袋５に小指が入る。この４状態の変化により指袋と靴内壁面との摩耗位置は４通りに履き替えることができる。
【実施例２】
【００１２】
図２は本発明の実施例2の靴下の平面図であって、人差し指、中指、薬指の3本指が一緒に入る大きさの袋6と、親指袋1と小指袋5は同じ大きさに編み上げられ、袋6を中心に左右に対称に設けた靴下である。また、かかとが当たり膨れる部位は水平方向の幅を広げて編み上げる。
【００１３】
このように足袋が設けられているので、親指袋1に親指、3本指用袋6に人差し指、中指、薬指の3指を入れ、小指袋5に小指を入れる。この指袋も実施例1同様に親指袋1と小指袋5は同じ大きさに設けられ、3本指用袋6を中心に左右に対称に設けられているので、右足で履いていた状態の靴下を上下反転、また、左足に履かせることができ、またそれを上下反転して履かせることができる。すなわち、実施例1と同様に指袋と靴内壁面との摩耗位置は４通りに履き替えることができる。
【実施例３】
【００１４】
図３は本発明の実施例３の靴下の平面図であって、親指袋1及び小指袋８をほぼ同じ大きさに編み上げる。また、人差し指袋2と薬指袋７をほぼ同じ大きさに編み上げる。各指袋の先端部の位置関係は靴下を履く方向の軸に対して対称に同じ位置ではなくて、親指袋1および人差し指袋2に対して中指袋3、薬指袋７、小指袋８の順に下がって設ける。このようにして5本指の指袋を設けた靴下である。また、かかとが当たり膨れる部位は水平方向の幅を広げて編み上げる。
【００１５】
このように指袋が設けられているので、親指袋1および人差し指袋2に対して中指袋3、薬指袋７、小指袋８が多少下がっていても編み物の柔軟性のために実施例1と同様に指袋と靴内壁面との摩耗位置は４通りに履き替えることができる。
【産業上の利用可能性】
【００１６】
一つの靴下を上面の状態で履き、さらに、上下に反転して下面を上面にして履き、さらに、反対の足に移動して履き、さらにそれを上下に反転して履くことができて、指袋と靴内壁面との摩耗位置は４通りに履き替えることができる。
これにより、靴下の微妙な摩耗の位置を調節することができる。すなわち、摩耗部位の度合いに応じてその位置を変えて履くことが出来て摩耗による穴あきを遅らせ、より長く履くことができる。
【符号の説明】
【００１７】
１    親指袋
２    人差し指袋
３    中指袋  
４    薬指袋
５    小指袋
６    3本指用袋  
７    人差し指袋とほぼ同じ大きさに作られた薬指袋
８    親指袋とほぼ同じ大きさに作られた小指袋
【図１】
2018162547.tif 000003
【図２】
2018162547.tif 000004
【図３】
2018162547.tif 000005
【図４】
2018162547.tif 000006
【手続補正書】
【提出日】平成29年11月20日(2017.11.20)
【手続補正１】
【補正対象書類名】特許請求の範囲
【補正対象項目名】全文
【補正方法】変更
【補正の内容】
【特許請求の範囲】
【請求項１】
５本の指袋を有する靴下において、中指袋を中心に左右対称に親指袋と小指袋また人差し指袋と薬指袋がほぼ同じ大きさに編み上げられた、複数の指袋を有する靴下。
【請求項２】
３個の指袋を有する靴下において、真ん中の指袋に人差し指、中指、薬指の３本指を収納する袋を編み上げ、その左右に親指袋と小指袋をほぼ同じ大きさに編み上げた、複数の指袋を有する靴下。
【請求項３】
５本の指袋を有する靴下において、親指袋及び小指袋をほぼ同じ大きさに編み上げると共に、小指袋の位置は親指袋の位置より靴下を履く方向の軸に対して下がって設けた、複数の指袋を有する靴下。